(57)【特許請求の範囲】
【請求項１】
軸方向に貫通された孔を有するハブと、該ハブの孔に挿入されて該ハブの軸方向先端側および基端側からそれぞれ延出する鋭利な刃先を有する針管と、該ハブの基端側に気密的に取り付けられてハブの基端側から延出する針管およびその刃先を収納しうる弾性キャップとからなり、該ハブの外周には細径部が設けられ、さらに該ハブの細径部よりも基端側にはねじ部が設けられてなる採血針。
【請求項２】
前記ねじ部は、谷部分の外径が前記細径部の外径よりも大きく形成されてなる、請求項１記載の採血針。
【請求項３】
前記ねじ部は、先端部の山部分の外径が基端部の山部分の外径よりも大きく形成されてなる、請求項１または２記載の採血針。
【請求項４】
前記ねじ部は、先端部の山部分の幅が基端部の山部分の幅よりも大きく形成されてなる、請求項１または２記載の採血針。
【請求項５】
前記ねじ部は、山部分の外径が先端側に向かって徐々に増加する構造を有してなる、請求項１または２記載の採血針。
【発明の詳細な説明】
【０００１】
【発明が属する技術分野】
本発明は採血針に関し、さらに詳細にはその一端を被検者の血管に穿刺し、他端を真空採血管内に連通させて、真空採血管内の負圧に応じた量の血液を採取できるようにした採血針に関する。
【０００２】
【従来の技術】
従来、臨床検査、例えば血清検査、血球検査等を行う際には、図５に示すように、ハブ５２、針管５３および弾性キャップ５４からなる採血針５１が使用される。前記採血針５１は、図中の矢印方向に回転し、ハブ５２のねじ部５２１とホルダー５５先端部のねじ部５５１とが螺合することにより、ホルダー５５の先端部にセットされた状態で、先端側の刃先５３１を患者の血管に穿刺される。その後、該ホルダー５５の基端部開口より真空採血管（図示せず）が挿入されると、針管５３の基端側の刃先５３２は弾性キャップ５４を突き破り、次いで真空採血管のゴム栓を突き破って、血管内と真空採血管内部を連通させ、該採血管内の負圧に応じた量の血液が採血管内に採取される。
しかし、図５に示す従来の採血針５１においては、採血針５１のホルダー５５への脱着時に、その都度採血針５１をねじ込み、またねじ戻さなければならないため、操作が面倒である。更に、採血針５１の刃面合わせは、ハブ５２のねじ部５２１とホルダー５５先端部のねじ部５５１とが螺合する時の、採血針５１の回転角度によって調整しなければならず、不確実である。
【０００３】
そこで、採血針とホルダーとの結合が嵌合式で、採血針の脱着がワンタッチで行える採血器具が提案されている（特公平１−２８５８９号公報、特開平２−２９７３４２号公報、特開平８−１２６６３０号公報、特開２０００−６０８２７号公報等）。これらの採血器具は、例えば図６に示すようにハブ６２、針管６３および弾性キャップ６４からなる採血針６１と、ホルダー６５とを有しており、該ハブに設けられた細径部６２１がホルダー６５の先端部に設けられたハブ着脱機構６５１と係合することにより、ワンタッチで採血針６１をホルダー６５に装着でき、前記係合を解除することにより、ワンタッチで採血針６１がホルダー６５より取り外される構成を有している。
しかし、前記採血器具のワンタッチ式のホルダー６５は、細径部６２１を有する図６に示すような形状の採血針６１を対象とするものであり、図５に示すようなねじ部５２１を有する採血針５１を装着することはできない。
【０００４】
一方、ねじ部が設けられた採血針を装着可能で、かつワンタッチで採血針を取り外すことができるホルダーも提案されている（特許第２７２３１０５号公報）。前記ホルダーは、ホルダーに設けられている採血針固定手段に採血針のねじ部が固定される構造を有しており、細径部を有する採血針を係合するワンタッチ式採血器具と比べて、より強固に採血針を固定することができるものである。しかし、このようなホルダーはねじ部を有する採血針を対象とするものであり、細径部を有する採血針を装着した場合には、その固定が不十分である。
【０００５】
上記したように、固定する採血針のタイプを選ぶホルダーは、所定のタイプ以外の採血針を用いる場合に様々な問題が発生する。そこで、細径部を有する採血針およびねじ部を有する採血針の両方を装着可能なホルダーが開発されている（特開平１０−３３５０９号公報）。該公報に記載のホルダーは、採血針の針ハブを固定する２つの固定突起を設けてなり、該突起が採血針の細径部またはねじ部のねじの谷部分に入り込むことにより、いずれのタイプの採血針も固定しうる構成を有している。
しかし、このような採血針のタイプを選ばないホルダーは、構造が複雑でコストが高くなる。さらに、前記ホルダーは細径部またはねじ部を有する両方のタイプの採血針に対応できるようにされているため、採血針のタイプを選ぶホルダーに比べて固定手段の係合力が弱く、採血針の固定が不十分である。
【０００６】
【発明が解決しようとする課題】
上記事情に鑑み本発明者は、採血針のタイプを選ばないホルダーから視点を変えて、ホルダーのタイプを選ばない採血針を構想し、このような採血針はホルダーの構造を複雑にすることなく、かつホルダーへの固定を確実にし、さらに安価に製造できることを見出した。したがって、本発明の目的は、細径部を有する採血針用のホルダーまたはねじ部を有する採血針用のホルダーのいずれのホルダーにも装着可能な採血針を提供することにある。
【０００７】
【課題を解決するための手段】
本発明者は、上記課題を解決するために種々鋭意検討した結果、採血針のハブに細径部を設け、さらにその基端側にねじ部を設けることにより、上記課題を解決しうる採血針を提供できることを見出した。
【０００８】
すなわち、本発明は、軸方向に貫通された孔を有するハブと、該ハブの孔に挿入されて該ハブの軸方向先端側および基端側からそれぞれ延出する鋭利な刃先を有する針管と、該ハブの基端側に気密的に取り付けられてハブの基端側から延出する針管およびその刃先を収納しうる弾性キャップとからなり、該ハブには細径部が設けられ、さらに該ハブの細径部よりも基端側にはねじ部が設けられてなる採血針である。
【０００９】
【発明の実施の形態】
以下に、本発明の採血針を添付図面に示す好適な実施例に基づいて詳細に説明するが、本発明はこれらの説明に限定されるものではない。
図１は、本発明の採血針の一実施例を示す側面図であり、図２は図１に示す採血針の縦断面図である。また、図３は本発明の採血針を細径部を有する採血針を対象とするホルダーに固定した状態を示す部分拡大断面図であり、図４は本発明の採血針をねじ部を有する採血針を対象とするホルダーに固定した状態を示す部分拡大断面図である。図５は従来のねじ部を有する採血針を対象とする採血器具の一例を示す斜視図であり、図６は従来の細径部を有する採血針を対象とする採血器具の一例を示す縦断面図である。
本発明の採血針１は、ハブ２と、ハブに設けられた孔に挿入される針管３と、該ハブの基端側に取り付けられる弾性キャップ４とを有している。
本発明の採血針１において、先端とは患者に穿刺する側（図中、左側）を、基端とは真空採血管（図示せず）に穿刺する側（図中、右側）を指す。
【００１０】
図１および図２に示すように、本発明の採血針１は略筒状のハブ２を有する。該ハブ２は中空の管体であって、軸方向に貫通された孔２１を有する。該孔２１は、針管３が挿入されて固定されるためのものであり、その内径は該針管３の外径よりも若干大きく形成されている。前記ハブ２の全長は、前記針管３の先端側の刃先３１および基端側の刃先３２がハブ２から突出するように、孔２１に針管３が配置されうる長さである。
【００１１】
前記ハブ３の外周には、細径部２２が設けられ、さらに該細径部２２よりも基端側にねじ部２３が設けられる。該細径部２２は、図３に示すように採血針１を細径部を有する採血針を対象とするホルダーに固定する場合に、該ホルダーの固定突起により係合される部分である。その形状や大きさは、ホルダーの固定突起の形状により適宜変更されうる。
一方、ねじ部２３は、図４に示すように採血針１をねじ部を有する採血針を対象とするホルダーに固定する場合に、該ホルダーの固定突起により係合される部分である。該ホルダーがワンタッチで挿着および脱着できるものでない場合は、前記ねじ部２３は該ホルダーの雌ねじ部と螺合することにより、採血針１をホルダーに固定することができる。該ねじ部の形状や大きさも、ホルダーの係合突起または雌ねじ部の形状により適宜変更されうる。
【００１２】
本発明のハブ２の外周には、さらにホルダーとの接続に必要な部品を設けることができる。例えば、ハブ２の先端部外周には、一つ以上のリブ２４が設けられていてもよい。該リブ２４は、患者に穿刺する側の針先を保護するための針キャップ（図示せず）と係合して、該キャップ内で採血針１が回転することを防止するため等に使用される。ハブ２の基端部外周には、後述する弾性キャップ４を気密的に、かつ離脱できないように係止しうる係止部２５が設けられていてもよい。
前記ハブ２は、採血針１の先端側の刃先３１を被検者の静脈に穿刺した時に、該採血針１内に流入した血液を、採血針１の基端側の刃先３２を真空採血管に穿刺する前に確認すること、いわゆるフラッシュバックの確認を可能とする機構が設けられたものであってもよい。
【００１３】
本発明のハブ２を形成する材料としては、ポリプロピレン、ポリエチレン、ポリスチレン、ポリエチレンテレフタレート、ポリメチルペンテン、ポリカーボネート、ポリアクリロニトリル、ＡＢＳ樹脂、ポリ塩化ビニル、液晶ポリマー等があげられる。ハブ２に前記フラッシュバックの確認を可能とする機構が設けられている場合、前記ハブ２は必要に応じて透明ないし半透明の材質で形成されることもできる。
前記ハブ２の形成方法としては、射出成形などが好ましく用いられる。
【００１４】
前記ハブ２の孔２１には針管３が挿入される。本発明における針管３は中空の管であり、先端側に患者に穿刺するための鋭利な刃先３１を、基端側に真空採血管のゴム栓に穿刺するための鋭利な刃先３２を有している。
該針管３は、該ハブ２の先端側から先端側の刃先３１が、また該ハブ２の基端側から基端側の刃先３２がそれぞれ延出するように、ハブ２の孔２１内に固定される。前記固定方法としては、例えば接着剤Ｓを用いてハブ２に気密的に固着する方法があげられる。該接着剤Ｓとしては、エポキシ硬化剤やＵＶ硬化型接着剤が用いられる。該接着剤Ｓは、前記ハブ２と針管３との間隙の一部を埋めるように使用されても差し支えない。前記固定方法の他の例としては、超音波や高周波などによる融着などもあげられる。
前記針管３を形成する材料としては、ステンレス鋼、アルミニウム、チタン、あるいはこれらの合金などの金属材料があげられる。
【００１５】
本発明のハブ２の基端部には、弾性キャップ４が気密的に取り付けられる。前記ハブ２に係止部２５が設けられる場合は、前記弾性キャップ４は該係止部２５に係止される。前記弾性キャップ４は有底筒状形状を有しており、前記針管３の基端側の刃先３２を収納できる大きさに形成される。前記弾性キャップ４は、採血時に針管３の基端側の刃先３２が刺通する際の抵抗が小さく、かつ、採血終了後に該刃先３２が刺通することにより形成された穴が再び塞がれるような弾性を有する材料で形成されていることが好ましい。前記弾性キャップ４の材料としては、具体的には天然ゴム、イソプレンゴム、シリコンゴムなどの合成ゴムや、エラストマーなどがあげられる。
【００１６】
本発明の採血針１は、図３に示すような細径部を有する採血針を対象とするホルダーに固定する場合には、細径部２２とホルダーの固定突起との係合により、ホルダーに固定される。この場合、採血針１のねじ部２３の谷部分の外径が、細径部の外径よりも大きく形成されることが好ましい。前記構成により、前記ホルダーは採血針１の細径部２２により確実に固定されうる。
また、図４に示すようなねじ部を有する採血針を対象とするホルダーに固定する場合には、本発明の採血針１はねじ部２３とホルダーの固定突起あるいは雌ねじ部との螺合により、ホルダーに固定される。この場合、採血針１のねじ部２３は、先端部の山部分の外径が基端部の山部分の外径よりも大きく形成されてなる構造や、先端部の山部分の幅が基端部の山部分の幅よりも大きく形成されてなる構造、前記ねじ部２３の山部分の外径が先端側（図中、上側）に向かって徐々に増加する構造などを有していてもよい。前記構成により、前記ホルダーと採血針１とはより確実に固定されうる。
前記採血針１は、ホルダーに固定された状態で、針管３の先端部の刃先３１を患者の静脈に穿刺して使用される。その後、ホルダー内に基端側から真空採血管が挿入され、前記針管３の基端側の刃先３２が弾性キャップ４および真空採血管のゴム栓を穿刺して、血管内と真空採血管内部を連通せしめられ、該採血管内の負圧に応じた量の血液が採血管内に採取される。
【００１７】
【発明の効果】
本発明の採血針は、採血針のハブに細径部を設け、さらにその基端側にねじ部を設けたことにより、ホルダーのタイプを選ぶことなく使用できる。すなわち、従来の細径部を有する採血針用のホルダーまたはねじ部を有する採血針用のホルダーのいずれのホルダーにも挿着可能な採血針を提供することができる。また、本発明の採血針は構造が簡単であるため、成形が容易で安価に製造できる。さらに、従来のホルダーを使用しても採血針とホルダーとの固定が確実に行える。
【図面の簡単な説明】
【図１】  本発明の採血針の一実施例を示す側面図である。
【図２】  図１に示す採血針の縦断面図である。
【図３】  本発明の採血針を細径部を有する採血針を対象とするホルダーに固定した状態を示す部分拡大断面図である。
【図４】  本発明の採血針をねじ部を有する採血針を対象とするホルダーに固定した状態を示す部分拡大断面図である。
【図５】  従来のねじ部を有する採血針を対象とする採血器具の一例を示す斜視図である。
【図６】  従来の細径部を有する採血針を対象とする採血器具の一例を示す縦断面図である。
【符号の説明】
１  採血針
２  ハブ
２１  孔
２２  細径部
２３  ねじ部
３  針管
３１、３２  刃先
４  弾性キャップ
【図１】
0003777595.tif 000002
【図２】
0003777595.tif 000003
【図３】
0003777595.tif 000004
【図４】
0003777595.tif 000005
【図５】
0003777595.tif 000006
【図６】
0003777595.tif 000007